(57)【要約】【課題】  本考案は、降雨時または降雨の予報が行われている場合に自動車への取付けを簡便に行えるようにし、しかもドアの開閉に応じて雨よけ用シートの繰出しおよび巻取りを的確に行えるようにした自動車乗降用着脱式雨よけ装置を提供することを課題とする。【解決手段】  自動車のドア用開口部の上縁内側に沿い、円錐状の巻取り軸１が、その先細部をドアヒンジ２の側に向けて着脱可能に配設されており、巻取り軸１に巻き取られた雨よけ用シート５の剛性縁部６は、窓ガラス８の内面に取り付けるための吸盤式取付け具９を備えている。巻取り軸１はバネ10により常にシート５を巻き取る方向に付勢されているので、ドア７の開閉に伴い、シート５の扇形状の繰出しと、その巻取りとが自動的に行われる。本装置の使用後にドアを閉じた状態では、本装置全体が完全に車内に収容されるので、車体の美観を損なうことはなく、また走行中に本装置の脱落事故を起こすこともない。【選択図】          図１
0003102428.tif 000002
【実用新案登録請求の範囲】
【請求項１】
自動車のドア用開口部の上縁内側に沿いドアヒンジ側に先細部を向けて配設される円錐状の巻取り軸と、同巻取り軸を回転可能に支承する一体型軸受部と、上記巻取り軸に巻取り繰出し可能に取付けられた雨よけ用シートとを備えるとともに、上記の軸受部と巻取り軸との間に同巻取り軸を常時上記シートの巻取り方向に付勢するためのバネが装架されており、上記一体型軸受部が、上記ドア用開口部の内側上縁に取外し可能に装着されるための着脱式取付け具を備えるとともに、上記シートの先端縁に沿う剛性縁部の少なくとも両端部に、ドアガラスの内面へ着脱可能に装着されるための吸盤式取付け具が設けられていることを特徴とする、自動車乗降用着脱式雨よけ装置。
【考案の詳細な説明】
【技術分野】
【０００１】
本考案は、降雨時における自動車の乗降に際して、傘をつぼめながら車内へ乗り込んだり、傘を開きながら車外へ降りたりする際に、雨で濡れるのを防ぐための装置に関する。
【背景技術】
【０００２】
降雨時に自動車に乗降する際の雨よけ手段として、自動車のドア用開口部の上縁外側とドアの上縁外側との間に、防雨シートを張設したり、折り畳み可能な遮蔽物を設けたりする技術が開発されているが、従来のものでは自動車に常時取り付けられているため、晴天の際に邪魔になるという不具合があり、また車体の外側に取り付けられていると、見栄えが悪くなるほか、走行中に風切り音を発生したり装置の脱落による事故を招く恐れもある。
【特許文献１】特開平９−９５１３９号公報
【特許文献２】特開平７−１９６３号公報
【特許文献３】登録実用新案第３０７３５５７号公報
【考案の開示】
【考案が解決しようとする課題】
【０００３】
降雨時または降雨の予報が行われている場合に自動車の車内への取付けを簡便に行えるようにし、しかもドアの開閉に応じて雨よけ用シートの繰出しおよび巻取りを的確に行えるようにした自動車乗降用着脱式雨よけ装置を提供することを課題とする。
【課題を解決するための手段】
【０００４】
本考案の自動車乗降用着脱式雨よけ装置は、自動車のドアを開く際に、同ドアと車体のドア用開口部との間に平面視で扇形の空間が形成されるので、同空間の上部を覆うため扇形となるシートの巻取り軸が、ドアヒンジ側に先細部を向ける円錐状に形成されて、同巻取り軸の軸受部が自動車のドア開口部の内側上縁に沿い吸盤式取付け具または面ファスナーなどで着脱可能に取り付けられる。
【０００５】
そして、上記巻取り軸から繰り出された上記シートの先端縁に沿う剛性縁部に、自動車のドアガラス内面に吸着しうる吸盤式取付け具が設けられるとともに、上記ドアを閉じる際に上記シートが上記巻取り軸に自動的に巻取られるように、同巻取り軸を常時上記シートの巻取り方向へ付勢するバネが、同巻取り軸とその軸受部との間に装架される。
このようにして、本装置は、使用後にドアを閉じた際には装置全体が車内に収容される。
【考案の効果】
【０００６】
本考案の自動車乗降用着脱式雨よけ装置では、自動車のドアを開くのに伴って、雨よけ用シートがバネに抗しながら巻取り軸の回転につれ扇形状に繰り出されて、自動車のドア用開口部上縁とドアの窓ガラス内面の上縁部との間に張設されるようになるので、降雨時に自動車に乗り込む場合や自動車から降りる場合に、上記シートは乗降者のための雨よけとしての機能を発揮するようになる。
【０００７】
そして、使用後にドアを閉じた際には装置全体が完全に車内に納まるので、自動車の走行中に風切り音の発生が防止されるほか、脱落事故を起こして他車に危険を及ぼすようなことはなく、また自動車の外観を損なうこともない。
【０００８】
また、上記ドアを閉じる際には、上記バネで上記巻取り軸が上記シートの巻取り方向に付勢されているので、ドアを急速に閉じても上記シートは自動的に且つ的確に上記巻取り軸に巻き取られるようになる。さらに、晴天時には本装置を車体から容易に取り外すことができる。
【考案を実施するための最良の形態】
【０００９】
自動車のドアを開いた際に、同ドアと自動車のドア用開口部上縁との間に、平面視で扇形の空間が形成されるので、この空間を覆う扇形の雨よけ用シートは、ドアヒンジ側に先細部を向けて自動車のドア用開口部の上縁内側に沿い配設される円錐状の巻取り軸に適切に巻き取られるようになる。
【００１０】
そして、上記巻取り軸の一体型軸受部は、吸盤式取付け具や面ファスナーのごとき着脱式取付け具を介して取外し可能に配設され、しかも上記シートの先端縁に沿う棒状体のごとき剛性縁部も、ドアガラス内面の上部に吸盤式取付け具を介して着脱可能に装着される。
【００１１】
また、上記巻取り軸を上記雨よけ用シートの巻取り方向に付勢するバネが設けられることにより、上記ドアの急速な閉鎖に際しても、上記巻取り軸への雨よけ用シートの巻取りが支障なく行われる。
このようにして、本装置は、車体への取付け取外しが容易に行われるとともに、使用後にドアを閉じた状態では装置全体が完全に車内に納まるものである。
【実施例１】
【００１２】
図１は本考案の一実施例としての自動車乗降用着脱式雨よけ装置を、自動車の運転席側部のドア用開口部に装着した状態を示す斜視図である。
【００１３】
図１に示すように、円錐状の巻取り軸１が、自動車のドア用開口部の上縁に沿いドアヒンジ２側に先細部を向けるようにして配設されており、同巻取り軸１を回転可能に支承すべく一体に構成された一対の軸受部３，３は、複数の吸盤式取付け具４または面ファスナーなどで車体のドア用開口部上縁内側に沿い着脱可能に取り付けられる。
【００１４】
そして、巻取り軸１には軟質プラスチックシートのごとき雨よけ用シート５が巻取り繰出し可能に取付けられている。
また、シート５の先端縁に沿う同シートの膨大部または縁部材のごとき剛性縁部６の少なくとも両端部には、ドア７におけるドアガラス８の内面に取付け可能の吸盤式取付け具９が装着されている。
【００１５】
さらに、軸受部３と巻取り軸１との間に、同巻取り軸１を常時シート５の巻取り方向に付勢するための渦巻きバネのごときバネ10が装架されている。なお、このバネ10は巻取り軸１の両端部に設けることが望ましいが、巻取り軸１の大径側にのみ設けるようにしてもよい。
【００１６】
シート５の材質は、降雨時にシート下方が暗くなるのを避けるため透明な可撓材とすることが望ましく、乗車の際の安全性を高めるためシート５の縁部に沿って防護用の紐状部材11を設けるようにしてもよい。
【００１７】
また、シート５の上面に沿う雨水を、ドア７の閉鎖方向への作動に際して掻き落とすための固定式ワイパー12や、落下水の案内板13を設けることもできる。
【００１８】
上述の本実施例の自動車乗降用着脱式雨よけ装置では、自動車のドア７を開くのに伴って、雨よけ用シート５がバネ10に抗しながら巻取り軸１の回転につれ扇形状（Ｌ＞Ｋ）に繰り出されて、自動車のドア用開口部上縁とドアの窓ガラス８の上縁部などとの間に張設されるようになるので、降雨時に自動車に乗り込む場合や自動車から降りる場合に、シート５は乗降者のための雨よけとしての機能を発揮するようになる。
【００１９】
また、ドア７を閉じる際には、バネ10で巻取り軸１がシート５の巻取り方向に付勢されているので、ドア７を急速に閉じてもシート５は自動的に且つ的確に巻取り軸１に巻き取られるようになり、しかも装置全体が完全に車室内に収容されるようになる。
【産業上の利用可能性】
【００２０】
夏季に自動車が野外において駐車している場合、ドアを開いて車室内へ風を取り込むために本考案の装置のシートを役立てることも可能であり、その場合には、上記シートを日除けとして用いるため、同シートを遮光性の材質で作成することが望ましい。
【図面の簡単な説明】
【００２１】
【図１】本考案の一実施例としての自動車乗降用着脱式雨よけ装置を、自動車の運転席側部のドア用開口部に装着した状態を示す斜視図である。
【符号の説明】
【００２２】
１  巻取り軸
２  ドアヒンジ
３  軸受部
４  吸盤式取付け具
５  雨よけ用シート
６  剛性縁部
７  ドア
８  ドアガラス
９  吸盤式取付け具
10  バネ
11  紐状部材
12  固定式ワイパー
13  落下水案内板
【図１】
0003102428.tif 000003